(57)【要約】【課題】被写体にとって良好な背景画像、写真プリント供給装置およびプリント用紙ユニットを提供する。【解決手段】撮影領域２内の被写体Ｍを撮影する撮影手段１３と、被写体Ｍを照明する照明手段１４と、被写体Ｍのバックとなる領域に存在して背景画像が表示される背景画像表示面Ｆとを備えた写真撮影装置１であって、照明手段１４が撮影領域２を構成する壁面部材の内面に向って照明光を照射するように構成した写真撮影装置１であり、照明手段１４から直接背景画像表示面Ｆに照明光が照射されることがないので、背景画像表示面Ｆの一部だけが局部的に明るくなるようなことがなく、撮影映像の背景画像がほどよい均一な明るさで撮影され、被写体Ｍと背景画像との良好な調和のとれた写真プリントがえられる。それと同時に、良好なプリント供給と、プリント用紙４０と識別情報等とのセットがえられる。【選択図】図１
2004205920.tif 000002
【特許請求の範囲】
【請求項１】
撮影領域内の被写体を撮影する撮影手段と、上記被写体を照明する照明手段と、上記被写体のバックとなる領域に存在して背景画像が表示される背景画像表示面とを備えた写真撮影装置であって、上記照明手段が上記撮影領域を構成する壁面部材の内面に向って照明光を照射するように構成したことを特徴とする写真撮影装置。
【請求項２】
上記照明手段が、上記壁面部材の対面する内面に向って照明光を照射するよう複数設けられている請求項１記載の写真撮影装置。
【請求項３】
上記照明手段が、上記壁面部材の天井面と床面に向って照明光を照射するよう複数設けられている請求項２記載の写真撮影装置。
【請求項４】
上記照明手段が、上記壁面部材の対面する側壁に設けられている請求項２記載の写真撮影装置。
【請求項５】
上記照明手段から発せられる照明光は、壁面部材の内面の端部近傍から隣接している内面に向って照射される請求項１〜４のいずれか一項に記載の写真撮影装置。
【請求項６】
上記照明手段は、閃光を照射する閃光照明装置である請求項１〜５のいずれか一項に記載の写真撮影装置。
【請求項７】
上記背景画像表示面は、背景映像が映写手段によって照射されるスクリーンである請求項１〜６のいずれか一項に記載の写真撮影装置。
【請求項８】
上記映写手段は、機器ユニット部に配置されているとともに、上記スクリーンは上記機器ユニット部と対をなすスクリーン部に設けられている請求項７記載の写真撮影装置。
【請求項９】
上記機器ユニット部と上記スクリーン部によりバックスクリーンユニットが構成されている請求項８記載の写真撮影装置。
【請求項１０】
上記機器ユニット部には、上記映写手段である映写装置と画像の合成処理等を行うコンピュータ装置が収容されている請求項８または９記載の写真撮影装置。
【請求項１１】
上記機器ユニット部には、上記映写装置と上記コンピュータ装置と画像を印刷するプリンタが収容されている請求項８〜１０のいずれか一項に記載の写真撮影装置。
【請求項１２】
上記バックスクリーンユニットの背後に画像編集等を行うディスプレイが配置されている請求項９〜１１のいずれか一項に記載の写真撮影装置。
【請求項１３】
上記バックスクリーンユニットの背後は、背景映像を反射もしくは投影する傾斜面とされ、この傾斜面に上記ディスプレイが配置されている請求項１２記載の写真撮影装置。
【請求項１４】
撮影領域内の被写体を撮影する撮影手段と、上記被写体を照明する照明手段と、上記被写体のバックとなる領域に存在して背景画像が表示される背景画像表示面と、上記撮影手段によって生成された撮影映像を写真プリントとして供給するプリンタとを備え、上記照明手段が上記撮影領域を構成する壁面部材の内面に向って照明光を照射して写真撮影をすることを特徴とする写真プリント供給装置。
【請求項１５】
上記プリンタに使用されるプリント用紙と、上記プリント用紙のプリント供給可能枚数が記録される記憶手段とがセットの状態となり、請求項１４記載の写真プリント供給装置に備えられた読取手段で上記記憶手段のプリント供給可能枚数が読み取られてその枚数だけ写真プリントが供給されるように構成されたプリント用紙ユニット。
【請求項１６】
上記プリンタに使用されるプリント用紙を備えたプリント用紙ユニットであって、上記プリント用紙には当該プリント用紙を識別する識別情報が付されており、請求項１４記載の写真プリント供給装置に備えられた読取手段で上記識別情報が読み取られることにより写真プリントが供給されるように構成されたプリント用紙ユニット。
【請求項１７】
上記プリンタに使用されるプリント用紙と、上記プリント用紙に画像をプリントするインクリボン等の記録材料がセットの状態となり、上記プリント用紙または記録材料には当該プリント用紙または記録材料を識別する識別情報が付されており、請求項１４記載の写真プリント供給装置に備えられた読取手段で上記識別情報が読み取られることにより写真プリントが供給されるように構成されたプリント用紙ユニット。
【発明の詳細な説明】
【０００１】
【発明の属する技術分野】
本発明は、撮影領域内の被写体を、そのバックにあるスクリーンに映写された背景映像とともに撮影する写真撮影装置および写真プリント供給装置とそれに用いるプリント用紙ユニットに関するものである。
【０００２】
【従来の技術】
近年、ゲームセンター等において、写真を撮影してシールプリント等にする写真自販機が数多く設置されている。このような写真自販機としては、一般に、図１４に示すようなものが用いられている。このものは、内部および前面に各種の装置が設けられた筐体５０と、上記筐体５０の上下から被写体Ｍの背後まで達するように突き出された骨材５１とを備えている。
【０００３】
そして、上記両骨材５１の先端部分に、壁板５２が配置され、必要に応じてその前側に撮影の際の背景となるカーテン５３が吊設され、上記筐体５０，骨材５１，壁板５２で囲まれた空間が、被写体Ｍの撮影領域すなわち撮影用ブース５４を形成している。上側の骨材５１には、撮影用ブース内の被写体Ｍを照射する２つのライト５５が取り付けられている。
【０００４】
上記筐体５０の内部には、被写体Ｍを撮影するカメラ５６が設けられている。上記筐体５０のカメラ５６の被写体Ｍ側に位置する面には、ガラス・プラスティック等の透明板５７が嵌め込まれている。また、上記筐体５０の内部には、上記カメラ５６から画像データを受信して画像合成等の処理を行なうコンピュータ装置５８が設けられている。また、上記筐体５０の被写体Ｍ側には、上記コンピュータ装置５８から送信された合成画像等の画像信号を受信して画像を表示するディスプレイ５９が設けられている。
【０００５】
さらに、上記筐体５０の内部には、コンピュータ装置５８から送信された画像データを受信し、この画像を印刷媒体６０に印刷するプリンタ６１が設けられている。このプリンタ６１で印刷された印刷媒体６０は、筐体５０の前面に形成された送出口６２から送出されるようになっている。
【０００６】
さらに、上記筐体５０の前面には操作パネルが設けられ、この操作パネルにコントローラ６３が設けられている。上記コントローラ６３は、タッチペン６４を備え、使用者Ｍが上記タッチペン６４の先端をディスプレイ５９の表面に接触させて文字や図形等を描いて入力しうるようになっており、手書き入力された文字・図形等の画像データやスタンプ画像等が、カメラ５６で撮影された被写体Ｍの撮影画像と合成されてディスプレイ５９に表示され、印刷媒体６０に印刷されるようになっている。
【０００７】
【特許文献１】
特開平１１−２６６４１９号公報
【０００８】
【発明が解決しようとする課題】
ところで、最近は、写真自販機の利用者の増加とともに、そのニーズも多様化している。そこで、これらのニーズに応えるため、被写体の画像に合成されるフレームや背景として各種の趣向を凝らしたものも数多く提供されている。その中の１つとして、被写体Ｍのバックにある背景画像表示面に種々な背景画像を表示して撮影するものが試みられ、上記カーテン５３が背景画像の１つをなしている。
【０００９】
上記カーテン５３のような背景画像をバックにして写真撮影をすると、ライト５５からの照明光が直接カーテン５３に照射され、この照射された部分だけが局部的に明るくなる。したがって、プリンタ６１から取出されたプリント写真の背景カーテン５３に局部的に明るい箇所ができる場合がある。このような問題は、背景画像表示面への画像表示方法を種々な方式で実施するときに、一層注意深く対応する必要がある。
【００１０】
本発明は、このような事情に鑑みてなされたもので、背景画像表示面に照射される照明光が同表示面を局部的に照射しないように構成した写真撮影装置を提供することを目的とする。
【００１１】
【課題を解決するための手段】
上記の目的を達成するため、本発明の写真撮影装置は、撮影領域内の被写体を撮影する撮影手段と、上記被写体を照明する照明手段と、上記被写体のバックとなる領域に存在して背景画像が表示される背景画像表示面とを備えた写真撮影装置であって、上記照明手段が上記撮影領域を構成する壁面部材の内面に向って照明光を照射するように構成したことを要旨とする。
【００１２】
すなわち、上記照明手段が上記撮影領域を構成する壁面部材の内面に向って照明光を照射することから、照明手段からの照明光は壁面部材内面の反射光の状態で背景画像表示面に照射されることになる。したがって、照明手段から直接背景画像表示面に照明光が照射されることがないので、背景画像表示面の一部だけが局部的に明るくなるようなことがなく、撮影映像の背景画像がほどよい均一な明るさで撮影され、被写体と背景画像との良好な調和のとれた写真プリントがえられる。
【００１３】
本発明の写真撮影装置において、上記照明手段が、上記壁面部材の対面する内面に向って照明光を照射するよう複数設けられている場合には、複数の照明手段から発せられる照明光が対面する内面に照射されるので、撮影領域内はいたるところ全域において間接的に照明光が照射されることとなり、したがって、背景画像表示面の一部だけが局部的に明るくなるようなことがなく、撮影映像の背景画像がほどよい均一な明るさで撮影され、被写体と背景画像との良好な調和のとれた写真プリントがえられる。同時に、被写体には気になるような影が生じないので、より一層満足度の高い写真プリントがえられる。
【００１４】
本発明の写真撮影装置において、上記照明手段が、上記壁面部材の天井面と床面に向って照明光を照射するよう複数設けられている場合には、上下方向からの照明光が背景画像表示面に間接的に照射されるので、前述のように、被写体と背景画像との良好な調和と、被写体にとって気になるような影のないより一層満足度の高い写真プリントがえられる。
【００１５】
本発明の写真撮影装置において、上記照明手段が、上記壁面部材の対面する側壁に設けられている場合には、対面した側壁からの照明光が背景画像表示面に間接的に照射されるので、前述のように、被写体と背景画像との良好な調和と、被写体にとって気になるような影のないより一層満足度の高い写真プリントがえられる。
【００１６】
本発明の写真撮影装置において、上記照明手段から発せられる照明光が、壁面部材の内面の端部近傍から隣接している内面に向って照射される場合には、照明光が隣接している壁面部材の内面に斜め方向から照射されるので、その照明光は多方向にわたって反射し、前述のように、被写体と背景画像との良好な調和と、被写体にとって気になるような影のないより一層満足度の高い写真プリントがえられる。
【００１７】
本発明の写真撮影装置において、上記照明手段が、閃光を照射する閃光照明装置である場合には、瞬間的に照明する照度の高い閃光照明装置であっても、上述のような間接的な照明作用により、背景画像表示面の一部だけが局部的に明るくなるようなことがなく、撮影映像の背景画像がほどよい均一な明るさで撮影され、被写体と背景画像との良好な調和のとれた写真プリントがえられる。同時に、被写体には気になるような影が生じないので、より一層満足度の高い写真プリントがえられる。
【００１８】
本発明の写真撮影装置において、上記背景画像表示面が、背景映像が映写手段によって照射されるスクリーンである場合には、撮影領域内には間接的に照明光が照射されているので、背景画像表示面の一部だけが局部的に明るくなるようなことがなく、撮影映像の背景画像がほどよい均一な明るさで撮影され、被写体と背景画像との良好な調和のとれた写真プリントがえられる。また、背景映像が映写手段によって表示されているので、局部的に照明光が背景画像表示面に照射されると、その箇所の背景画像が著しく不鮮明になるおそれがあるが、上記のように間接的な照明光であるから、このような問題が発生しない。
この場合において、上記スクリーンの背後に映写手段が配置され、上記スクリーンが、スクリーンの背後すなわち撮影手段と反対側から背景映像が照射されるものである場合には、背後から映像を映写されるスクリーンにおいては、スクリーン前面すなわち撮影手段側に存在する局部的な光の反射が写り込むことによる背景映像の画質低下の影響が多大であるため、間接照明によって局部的な光を発生させないで撮影する効果が顕著であり効果的である。
【００１９】
本発明の写真撮影装置において、上記映写手段は、機器ユニット部に配置されているとともに、上記スクリーンは上記機器ユニット部と対をなすスクリーン部に設けられている場合には、対をなしている上記機器ユニット部と上記スクリーン部にそれぞれ映写装置とスクリーンが配置されていることから、映写装置とスクリーンを所定の相対位置関係で取付けることができ、背景映像をスクリーン上の正しい位置に映写することができる。このように正しい位置に背景映像が映写されているので、照明手段からの間接的な照明光を常に均一な状態で及ぼすことが行ないやすくなる。さらに、映写装置とスクリーンによって占められるスペースもより少なくすることができて、写真撮影装置全体の小型化にとって有効である。
【００２０】
本発明の写真撮影装置において、上記機器ユニット部と上記スクリーン部によりバックスクリーンユニットが構成されている場合には、上記機器ユニット部と上記スクリーン部とを組合わせてバックスクリーンユニットが構成されていることから、機器ユニット部とスクリーン部の２つの部分を組合わせるだけで簡単にバックスクリーンユニットが完成する。また、バックスクリーンがこのようにユニット化されているので、照明手段からの間接的な照明光を常に均一な状態で及ぼすことが行ないやすくなる。
【００２１】
また、上記２つの部分を別々に製作しておき、それらを適宜組合わせることにより、写真撮影装置の形態を種々選択できて写真撮影装置のバリエーションを豊富にすることができる。あらかじめ異なった諸元の機器ユニット部やスクリーン部を多数製作しておき、これらを適宜組合わせることにより、単純な組合わせ作業となり生産面での合理化が図れる。さらに、単一のケーシング構造物に機器ユニット部とスクリーン部を作りつけることにより、当初から１ピース・タイプのバックスクリーンユニットを形成することができる。このような１ピース・タイプであれば、上述の組合わせ方式よりも生産工程が簡素化されて、原価的にも有利である。
【００２２】
本発明の写真撮影装置において、上記機器ユニット部には、上記映写手段である映写装置と画像の合成処理等を行うコンピュータ装置が収容されている場合には、映写装置とコンピュータ装置とをコンパクトな状態で機器ユニット部内に収容できることから、機器ユニット部が小型化でき、バックスクリーンユニットとしてのまとまりが向上する。特に、機器ユニット部が小型化されることによりスクリーン部を大型化することができ、背景映像を大きく映写し、しかも映像内容を一層豊かにすることができる。このような構造的なまとまりにより、撮影領域をゆとりのある撮影ブースとして形成できるので、間接的な照明のアレンジが行ないやすくなる。
【００２３】
本発明の写真撮影装置において、上記機器ユニット部には、上記映写装置と上記コンピュータ装置と画像を印刷するプリンタが収容されている場合には、映写装置とコンピュータ装置とプリンタとをコンパクトな状態で機器ユニット部内に収容できることから、機器ユニット部が小型化でき、バックスクリーンユニットとしてのまとまりが向上する。特に、機器ユニット部が小型化されることによりスクリーン部を大型化することができ、背景映像を大きく映写し、しかも映像内容を一層豊かにすることができる。さらに、機器ユニット部内においてプリンタの配置箇所を自由に選定できるので、プリント写真をどの方向にでも取出すことができる。このような構造的なまとまりにより、撮影領域をゆとりのある撮影ブースとして形成できるので、間接的な照明のアレンジが行ないやすくなる。
【００２４】
本発明の写真撮影装置において、上記バックスクリーンユニットの背後に画像編集等を行うディスプレイが配置されている場合には、使用者は撮影領域すなわち撮影ブースから出て外側で編集を行うので、先の使用者が出た後、直ちに次の使用者が撮影ブースに入って撮影ができ、使用者の待ち時間を短縮して写真撮影装置を効率よく使用することが可能となる。また、バックスクリーンユニットの背後は、スクリーンの傾斜配置との関係で傾斜面を形成しやすいので、このような傾斜箇所に上記ディスプレイを配置することにより、見やすくてしかも操作のしやすい編集等ができる。
【００２５】
本発明の写真撮影装置において、上記バックスクリーンユニットの背後は、背景映像を反射もしくは投影する傾斜面とされ、この傾斜面に上記ディスプレイが配置されている場合には、傾斜したスクリーンや鏡の配置による傾斜面が外部に形成されることから、編集用のディスプレイを使い勝手のよい状態で配置することが可能となる。
【００２６】
上記の目的を達成するため、本発明の写真プリント供給装置は、撮影領域内の被写体を撮影する撮影手段と、上記被写体を照明する照明手段と、上記被写体のバックとなる領域に存在して背景画像が表示される背景画像表示面と、上記撮影手段によって生成された撮影映像を写真プリントとして供給するプリンタとを備え、上記照明手段が上記撮影領域を構成する壁面部材の内面に向って照明光を照射して写真撮影をすることを要旨とする。
【００２７】
したがって、照明手段から直接背景画像表示面に照明光が照射されることがないので、背景画像表示面の一部だけが局部的に明るくなるようなことがなく、撮影映像の背景画像がほどよい均一な明るさで撮影され、被写体と背景画像との良好な調和のとれたすぐれた写真プリント供給装置として機能させることができる。
【００２８】
上記の目的を達成するため、本発明のプリント用紙ユニットは、上記プリンタに使用されるプリント用紙と、上記プリント用紙のプリント供給可能枚数が記録される記憶手段とがセットの状態となり、請求項１４記載の写真プリント供給装置に備えられた読取手段で上記記憶手段のプリント供給可能枚数が読み取られてその枚数だけ写真プリントが供給されるように構成されたことを要旨とする。
【００２９】
したがって、プリント用紙と、プリント供給可能枚数が記録される記憶手段とがセットになっているので、プリント用紙を上記の写真プリント供給装置に装填することにより、読取手段で記憶手段のプリント供給可能枚数を読み取り、良好な背景画像がプリントされた写真プリントが、上記の読取り枚数値に即して供給される。
【００３０】
上記の目的を達成するため、本発明のプリント用紙ユニットは、上記プリンタに使用されるプリント用紙を備えたプリント用紙ユニットであって、上記プリント用紙には当該プリント用紙を識別する識別情報が付されており、上述の写真プリント供給装置に備えられた読取手段で上記識別情報が読み取られることにより写真プリントが供給されるように構成されたことを要旨とする。
【００３１】
したがって、上記写真プリント供給装置固有の性能やよりすぐれた写真プリントの仕上り品質等にとって最適のプリント用紙であるか否かが、識別情報によって判別することができるので、識別情報の読み取り結果に応じて写真プリント供給装置を動作させないようにすることができ、背景画像を含めて利用者によりすぐれた品質の写真プリントの提供ができる。
【００３２】
上記の目的を達成するため、本発明のプリント用紙ユニットは、上記プリンタに使用されるプリント用紙と、上記プリント用紙に画像をプリントするインクリボン等の記録材料がセットの状態となり、上記プリント用紙または記録材料には当該プリント用紙または記録材料を識別する識別情報が付されており、上述の写真プリント供給装置に備えられた読取手段で上記識別情報が読み取られることにより写真プリントが供給されるように構成されたことを要旨とする。
【００３３】
したがって、上記写真プリント供給装置固有の性能やよりすぐれた写真プリントの仕上り品質等にとって最適のプリント用紙または記録材料であるか否かが、識別情報によって判別することができるので、識別情報の読み取り結果に応じて写真プリント供給装置を動作させないようにすることができ、背景画像を含めて利用者によりすぐれた品質の写真プリントの提供ができる。
【００３４】
【発明の実施の形態】
つぎに、本発明の実施の形態を詳しく説明する。
【００３５】
図１〜図６は、本発明の写真撮影装置の第１の実施の形態を示す図である。
【００３６】
写真撮影装置１は、主として被写体Ｍが撮影される撮影ブース２すなわち撮影領域とバックスクリーンユニット３とから構成されている。撮影ブース２は、被写体の前方に配置されている壁板４、被写体Ｍの左右に配置されている壁板５，６、天井を構成する壁板７等が箱型に組立てられて構成されている。壁板５，６には出入口８，９が設けられ、カーテン１０，１１で外部と仕切られている。符号１２は床板である。なお、壁板６，出入口９，カーテン１１等は図１の手前にあるので、図示されていない。なお、壁板４，５，６，７，床板１２およびカーテン１０，１１等が壁面部材を構成している。
【００３７】
撮影手段であるカメラ１３は、被写体Ｍの前方に配置され、壁板４の所定の箇所に取付けられている。また、写真撮影装置１の使い方等を被写体Ｍに説明する案内モニタ１５は、指入力用タッチパネルの形式とされ、被写体Ｍの見やすい箇所に配置されており、ここでは被写体Ｍ前方の壁板４に取付けられている。照明手段である照明装置１４は、壁板４，７等に複数配置されている。照明装置１４は、図２〜図５にしたがって後述するように、そこからの照射光が後述の背景画像表示面Ｆを直接照射しないようにするために、間接照明の方式とされている。
【００３８】
被写体Ｍのバックとなる領域に背景画像を存在させるために、背景画像表示面Ｆが設けられている。この背景画像表示面Ｆはバックスクリーンユニット３の配置によって実現されている。上記バックスクリーンユニット３は、映写装置１６が配置された機器ユニット部１７と、スクリーン１８が配置されたスクリーン部１９とを組合わせて構成されている。上記機器ユニット部１７は下側に配置され、上記スクリーン部１９は上側に配置されており、機器ユニット部１７内には、映写装置１６の外に画像の合成処理等を含めて写真撮影装置１全体の動作を制御するコンピュータ装置２０と、写真をプリントするプリンタ２１が収容されている。このプリンタ２１からの写真は、バックスクリーンユニット３の横側の方向、すなわち図１の紙面に対して垂直な方向に出てくるようになっている。
【００３９】
図６に示すように、上記機器ユニット部１７の外形を形成する部材は、合成樹脂製のパネル材等で作られた機器ボックス２２であり、また、スクリーン部１９の外形を形成する部材は、やはり同様のパネル材で作られた遮光壁体２３である。上記機器ボックス２２には、映写手段である映写装置１６からの映写光を通過させるための開口２４があけられている。上記遮光壁体２３は、四角い傾斜壁板２５とその両側に配置された三角形の遮光壁板２６とから構成されている。傾斜壁板２５にスクリーン１８が取付けられ、そこに映写装置１６からの映像が映写される。
【００４０】
上記傾斜壁板２５の背面、すなわちバックスクリーンユニット３の背後には、画像編集等を行うディスプレイ２７が取付けられ、それを見やすくするために遮光手段２８が設けられている。上記遮光手段２８は、ディスプレイ２７への入射光を制限する機能を果たしているもので、天井の壁板７を後方に延ばして、その周囲にカーテン２９が取付けられている。なお、符号２７Ａはディスプレイ用のタッチペンである。
【００４１】
上記スクリーン１８は、被写体Ｍのバックとなる領域に存在するように、被写体Ｍに対する相対位置が設定されており、こうすることによってスクリーン１８とそれへの映写装置１６が被写体Ｍ後方の所定位置に配置される。また、映写装置１６の映写光軸がスクリーン１８に対して垂直になっていないので、映写装置１６に台形歪補正手段を保有させておくことが有効である。なお、図１（Ｂ）に示した映写装置１６は、その光源が後述の照明用ストロボ３２と同様なものとされており、撮影時の照明とスクリーン１８への背景画像表示とを同期させるようになっている。
【００４２】
上記バックスクリーンユニット３は機器ユニット部１７とスクリーン部１９とが組合されて構成されているのであるが、その構成の仕方には２種類のものが採用できる。第１には、図６に示されているように、機器ボックス２２と遮光壁体２３とを別々に製作し、この両者を結合する方式である。この場合、図６(Ｂ)に示したように、機器ボックス２２を大ボックス２２Ａと小ボックス２２Ｂに分割し、大ボックス２２Ａに映写装置１６を収容し、小ボックス２２Ｂにコンピュータ装置２０やプリンタ２１等を収容する。
【００４３】
このように分割式ボックスの形態とすることにより、それぞれのボックス２２Ａ，２２Ｂに映写装置１６やコンピュータ装置２０，プリンタ２１等を区別して収容することができて、各々の機能を的確に発揮させることが可能となる。さらに、大小各ボックス２２Ａ，２２Ｂ、遮光壁体２３のように分割されているので、運搬が行いやすくなり、写真撮影装置１の設置箇所が狭くても現地で組立てれば簡単にバックスクリーンユニット３が形成できる。
【００４４】
また、第２には、図示していないが、機器ユニット部１７とスクリーン部１９を最初から一体に製作する方式である。例えば、遮光壁板２６と機器ボックス２２の横側板とを１枚の板材で製作し、その後から機器ボックス２２や遮光壁体２３を製作する。
【００４５】
また、このように一体的に製作することにより、製作工程数を減少させ、生産管理や原価面で有利なものとなる。
【００４６】
つぎに、本発明において重要な役割を果たす照明手段について説明する。
【００４７】
照明手段である照明装置１４は、そこからの照明光が壁面部材の内面を構成する壁板４，５，６，７，床板１２およびカーテン１０，１１等に向って照射され、照明装置１４から直接スクリーン１８に照射されないようになっている。上記照明装置１４の構造としてはいろいろなものが採用できるが、ここでは図２〜図４に示した構造のものが採用されている。なお、図３および図４は、図１の〔Ａ〕−〔Ａ〕断面の箇所を示す断面図である。
【００４８】
照明装置全体は符号１４で示され、図２に示されたような照明ボックス３１とその内部に配置されるストロボ３２から構成されている。上記照明ボックス３１は、平たくて四角い不透明のカバー板３３と、その周辺に結合された透光板３４と、カバー板３３の内面に固定されたストロボ３２等によって構成されている。この透光板３４は、カバー板３３の４辺または必要な辺に結合され、ストロボ３２からの閃光が撮影ブース２を形成する内面に向かって照射され易くするために、傾斜した状態で配置されている。したがって、カバー板３３の４辺に透光板３４が結合されている場合には、ちょうど角錐台形を呈している。そして、透光板３４は、例えば、透明または半透明の合成樹脂製の板で作られている。
【００４９】
上記照明ボックス３１とストロボ３２は、図３（Ａ）に示すように、壁板５に直交している隣接した他の壁板４に固定され、ストロボ３２の照射方向は壁板５に向けられている。そして、壁板４，５，６，７，床板１２およびカーテン１０，１１等は、実質的に光を拡散する光拡散面であり、閃光を反射し易い白色あるいはアイボリーホワイトのように明るい表面色とされている。また、図１に示すように、照明装置１４を天井である壁板７や機器ボックス２２の前面、あるいは図示していないが、床板１２の箇所にストロボ３２を埋設してもよい。このように隣接した直交壁面に閃光を照射する構造が撮影ブース２内の複数箇所に配置されていたり、対面する壁板を照射したりすることにより、図５に示されたような多数の反射光が撮影ブース２内に生成される。
【００５０】
図３（Ｂ）は、ストロボ３２の向きを（Ａ）とは逆向きにして、ミラー３０を照明ボックス３１内に取付けた場合であり、ストロボ３２の照射方向とミラー３０の取付け角度を選定することにより、（Ａ）と同様な照射機能が果たされている。
【００５１】
図４は、ストロボ３２が露出した状態で配置されている場合である。このような構成は、上記カバー板３３の反射効果は得られないが、構造を簡素化し減価低減を図る点で有利である。
【００５２】
なお、図５は、各照明装置１４からの照明光が、壁板４，５，６，７，床板１２およびカーテン１０，１１等あるいはカバー板３３に反射して、その反射光が間接的にスクリーン１８を照射している状態を示している。
【００５３】
上記の実施の形態においては、照明装置１４が瞬間的に閃光を放つストロボの形式とされているが、これを通常の照明ランプに置換え、撮影のときに各照明ランプを点灯させるようにしてもよい。さらに、背景画像表示面Ｆには映写装置１６でスクリーン１８に背景画像を映写しているが、背景画像が描かれた複数枚の背景幕を背景画像表示面Ｆの位置に配置してもよい。
【００５４】
つぎに、上記構成を備えた写真撮影装置の動作について説明する。
【００５５】
使用者である被写体Ｍが撮影ブース２内に入り、所定額のコイン等をコイン投入口（図示していない）に入れると、コンピュータ装置２０が動作状態になり、次いで、被写体Ｍは案内モニタ１５に表示された操作手順にしたがって操作を進めて行く。まず、案内モニタ１５に縮小された複数の背景映像がコンピュータ装置２０から読み出されて表示される。その中から好みのものを指入力で選択すると、その背景映像がコンピュータ装置２０を経て映写装置１６からスクリーン１８に映写される。
【００５６】
つぎに、被写体Ｍはいろいろなポーズをカメラ１３の前でとり、それが案内モニタ１５に写し出され、被写体Ｍは気に入ったところでシャッタ操作をする。このようにして撮影されるときには、あらかじめ選定した背景映像が共に写し込まれて、背景映像の中に調和のとれた状態で被写体Ｍが撮影される。この撮影のときには、照明装置１４により被写体Ｍが照明されているが、その照射光は間接照明の形態でスクリーン１８におよんでいる。上記のような背景映像の選定やポーズどり、ないしは撮影を所定回数にわたって繰り返すと、それらの撮影画像データが全てコンピュータ装置２０に記憶される。
【００５７】
このようにして撮影が終了した被写体Ｍは撮影ブース２からバックスクリーンユニット３の背後へ移動し、ディスプレイ２７を操作して編集作業を行う。この編集作業は、例えば、タッチペン２７Ａ等を用いて行われ、ディスプレイ２７上に文字や図形等を描いてコンピュータ装置２０に入力し、これを撮影画像に合成する。この合成された画像をディスプレイ２７に表示させ、最終的に確認してからプリンタ２１で印刷し、編集作業を完了する。
【００５８】
上記構成により、照明装置１４からの照明光は壁板４，５，６，７，床板１２およびカーテン１０，１１等の反射光の状態でスクリーン１８（背景画像表示面Ｆ）に照射されることになる。したがって、照明装置１４から直接スクリーン１８に照明光が照射されることがないので、スクリーン１８の一部だけが局部的に明るくなるようなことがなく、撮影映像の背景画像がほどよい均一な明るさで撮影され、被写体Ｍと背景画像との良好な調和のとれた写真プリントがえられる。同時に、被写体Ｍに対する照明も顔や髪型等に不自然な影ができたりせず、良好な写真撮影が可能となる。
【００５９】
複数の照明装置１４から発せられる照明光が対面する壁板５，６，７等の内面に照射されるので、撮影ブース２内はいたるところ全域において間接的に照明光が照射されることとなり、したがって、スクリーン１８の一部だけが局部的に明るくなるようなことがなく、撮影映像の背景画像がほどよい均一な明るさで撮影され、被写体Ｍと背景画像との良好な調和のとれた写真プリントがえられる。同時に、被写体Ｍには気になるような影が生じないので、より一層満足度の高い写真プリントがえられる。
【００６０】
天井面（壁板７）と床面（床板１２）に向って照明光を照射し、上下方向からの照明光がスクリーン１８に間接的に照射されるので、前述のように、被写体Ｍと背景画像との良好な調和と、被写体Ｍにとって気になるような影のないより一層満足度の高い写真プリントがえられる。
【００６１】
上記照明装置１４が対面する壁板４と機器ボックス２２の前面に設けられ、このように対面した箇所からの照明光がスクリーン１８に間接的に照射されるので、前述のように、被写体Ｍと背景画像との良好な調和と、被写体Ｍにとって気になるような影のないより一層満足度の高い写真プリントがえられる。
【００６２】
照明光が隣接している壁板（例えば、壁板４と壁板５）の内面に斜め方向から照射されるので、その照明光は多方向にわたって反射し、前述のように、被写体Ｍと背景画像との良好な調和と、被写体Ｍにとって気になるような影のないより一層満足度の高い写真プリントがえられる。
【００６３】
瞬間的に照明する照度の高い閃光式の照明装置１４であっても、上述のような間接的な照明作用により、スクリーン１８の一部だけが局部的に明るくなるようなことがなく、撮影映像の背景画像がほどよい均一な明るさで撮影され、被写体Ｍと背景画像との良好な調和のとれた写真プリントがえられる。同時に、被写体Ｍには気になるような影が生じないので、より一層満足度の高い写真プリントがえられる。
【００６４】
背景映像が映写装置１６によってスクリーン１８に照射されていても、撮影ブース２内には間接的に照明光が照射されているので、スクリーン１８の一部だけが局部的に明るくなるようなことがなく、撮影映像の背景画像がほどよい均一な明るさで撮影され、被写体Ｍと背景画像との良好な調和のとれた写真プリントがえられる。また、背景映像が映写装置１６によって表示されているので、局部的に照明光がスクリーン１８に照射されると、その箇所の背景画像が著しく不鮮明になるおそれがあるが、上記のように間接的な照明光であるから、このような問題が発生しない。
【００６５】
対をなしている上記機器ユニット部１７と上記スクリーン部１９にそれぞれ映写装置１６とスクリーン１８が配置されていることから、映写装置１６とスクリーン１８を所定の相対位置関係で取付けることができ、背景映像をスクリーン１８上の正しい位置に映写することができる。このように正しい位置に背景映像が映写されているので、照明装置１４からの間接的な照明光を常に均一な状態で及ぼすことが行ないやすくなる。さらに、映写装置１６とスクリーン１８によって占められるスペースもより少なくすることができて、写真撮影装置全体の小型化にとって有効である。
【００６６】
上記機器ユニット部１７と上記スクリーン部１９とを組合わせてバックスクリーンユニット３が構成されていることから、機器ユニット部１７とスクリーン部１９の２つの部分を組合わせるだけで簡単にバックスクリーンユニット３が完成する。また、スクリーン１８がこのようにユニット化されているので、照明装置１４からの間接的な照明光を常に均一な状態で及ぼすことが行ないやすくなる。
【００６７】
また、上記２つの部分を別々に製作しておき、それらを適宜組合わせることにより、写真撮影装置の形態を種々選択できて写真撮影装置のバリエーションを豊富にすることができる。あらかじめ異なった諸元の機器ユニット部１７やスクリーン部１９を多数製作しておき、これらを適宜組合わせることにより、単純な組合わせ作業となり生産面での合理化が図れる。さらに、単一のケーシング構造物に機器ユニット部１７とスクリーン部１９を作りつけることにより、当初から１ピース・タイプのバックスクリーンユニット３を形成することができる。このような１ピース・タイプであれば、上述の組合わせ方式よりも生産工程が簡素化されて、原価的にも有利である。
【００６８】
映写装置１６とコンピュータ装置２０とをコンパクトな状態で機器ユニット部１７内に収容できることから、機器ユニット部１７が小型化でき、バックスクリーンユニット３としてのまとまりが向上する。特に、機器ユニット部１７が小型化されることによりスクリーン部１９を大型化することができ、背景映像を大きく映写し、しかも映像内容を一層豊かにすることができる。このような構造的なまとまりにより、撮影領域をゆとりのある撮影ブース２として形成できるので、間接的な照明のアレンジが行ないやすくなる。
【００６９】
映写装置１６とコンピュータ装置２０とプリンタ２１とをコンパクトな状態で機器ユニット部１７内に収容できることから、機器ユニット部１７が小型化でき、バックスクリーンユニット３としてのまとまりが向上する。特に、機器ユニット部１７が小型化されることによりスクリーン部１９を大型化することができ、背景映像を大きく映写し、しかも映像内容を一層豊かにすることができる。さらに、機器ユニット部１７内においてプリンタ２１の配置箇所を自由に選定できるので、プリント写真をどの方向にでも取出すことができる。このような構造的なまとまりにより、撮影領域をゆとりのある撮影ブース２として形成できるので、間接的な照明のアレンジが行ないやすくなる。
【００７０】
使用者Ｍは撮影領域すなわち撮影ブース２から外側に出てバックスクリーンユニット３の背後のディスプレイ２７で編集を行うので、先の使用者が出た後、直ちに次の使用者が撮影ブース２に入って撮影ができ、使用者の待ち時間を短縮して写真撮影装置を効率よく使用することが可能となる。また、バックスクリーンユニット３の背後は、スクリーン１８の傾斜配置との関係で傾斜面を形成しやすいので、このような傾斜箇所に上記ディスプレイ２７を配置することにより、見やすくてしかも操作のしやすい編集等ができる。
【００７１】
上記バックスクリーンユニット３の背後は、背景映像を反射もしくは投影する傾斜面とされ、この傾斜面に上記ディスプレイ２７が配置されているので、傾斜したスクリーン１８の配置による傾斜面が外部に形成され、編集用のディスプレイ２７を使い勝手のよい状態で配置することが可能となる。
【００７２】
図７は、本発明の写真撮影装置の第２の実施の形態を示す。
【００７３】
この実施の形態は、傾斜壁板２５の内面に背景映像反射用の鏡３７が取付けられ、スクリーン１８が上記鏡３７の被写体Ｍ側に傾斜しない状態で起立しているものである。この例では、上記スクリーン１８の背後に映写手段が配置され、上記スクリーン１８が、スクリーン１８の背後すなわちカメラ１３と反対側から背景映像が照射されるものである。それ以外は、上記実施の形態と同様であり、同様の部分には同じ符号を付している。
【００７４】
したがって、鏡３７により、映写装置１６からの映写光が反射させられて、起立したスクリーン１８に背景映像が映写されるから、被写体Ｍに近い箇所に良好な背景映像を存在させることができて、被写体Ｍと背景映像との関連性をより好ましい状態にして撮影が可能となる。また、背後から映像を映写されるスクリーン１８においては、スクリーン１８前面すなわちカメラ１３側に存在する局部的な光の反射が写り込むことによる背景映像の画質低下の影響が多大であるため、間接照明によって局部的な光を発生させないで撮影する効果が顕著であり効果的である。それ以外は、上記実施の形態と同様の作用効果を奏する。
【００７５】
図８は、本発明の写真撮影装置の第３の実施の形態を示す。
【００７６】
この実施の形態は、遮光壁体２３が、図６(Ｃ）に示されているように、内部空間が直方体になっている場合である。したがって、背板３８は起立した状態で略水平な上板３９が設けられ、遮光壁板２６は四角い形状である。起立した上記背板３８にディスプレイ２７が略縦向きの姿勢で取付けられている。このディスプレイ２７は、背板３８と傾斜壁板２５との間の空間を利用して配置されている。それ以外は、上記各実施の形態と同様であり、同様の部分には同じ符号を付している。
【００７７】
上記ディスプレイ２７は、背板３８と傾斜壁板２５との間の空間を利用して配置されているから、デッドスペースを有効に活用できる。この例でも、上記スクリーン１８が、スクリーン１８の背後すなわちカメラ１３と反対側から背景映像が照射されるものであり、スクリーン１８前面すなわちカメラ１３側に存在する局部的な光の反射が写り込むことによる背景映像の画質低下の影響が多大であるため、間接照明によって局部的な光を発生させないで撮影する効果が顕著であり効果的である。それ以外は、上記各実施の形態と同様の作用効果を奏する。
【００７８】
図９は、本発明の写真撮影装置の第４の実施の形態を示す。
【００７９】
この実施の形態は、遮光壁体２３が図６（Ｃ）に示すように、内部空間が直方体になっていて、その上部後方に映写装置１６が取付けられ、その位置からスクリーン１８に背景画像を映写するようになっている。それ以外は、上記各実施の形態と同様であり、同様の部分には同じ符号を付している。
【００８０】
したがって、機器ボックス２２内にはコンピュータ装置２０とプリンタ２１を収容するだけであるから、機器ボックス２２の高さを可及的に低くし、それにともなってスクリーン１８の縦サイズを長くすることができる。このように大きくされた背景画像表示面Ｆが良好な背景画像とされているので、写真プリントの質が一層向上する。この例でも、上記スクリーン１８が、スクリーン１８の背後すなわちカメラ１３と反対側から背景映像が照射されるものであり、スクリーン１８前面すなわちカメラ１３側に存在する局部的な光の反射が写り込むことによる背景映像の画質低下の影響が多大であるため、間接照明によって局部的な光を発生させないで撮影する効果が顕著であり効果的である。それ以外は、上記各実施の形態と同様の作用効果を奏する。
【００８１】
図１０は、本発明の写真撮影装置の第５の実施の形態を示す。
【００８２】
この実施の形態は、照明装置１４から壁面部材に照射してできた反射光が、スクリーン１８に到達しないようにしたものである。そのために、スクリーン１８に対面する照明装置１４の透光板３４は、図１０に示すように、略水平方向に向けて配置してあり、内部のストロボ３２の照射方向も略真上に向けられている。この実施の形態では、床板１２の箇所に照明装置１４が埋設してあり、その照射方向はスクリーン１８とは反対方向に設定してある。また、天井である壁板７に取付けられた照明装置１４も床板１２の箇所のものと同様な照射方向にしてある。それ以外は、上記各実施の形態と同様であり、同様の部分には同じ符号を付している。
【００８３】
したがって、スクリーン１８へは反射光が到達しないので、スクリーン１８に映写された背景画像は照明装置１４からの影響を全く受けることがなく、きわめて良好な背景画像がえられ、よりすぐれた写真プリントが供給できる。この例でも、上記スクリーン１８が、スクリーン１８の背後すなわちカメラ１３と反対側から背景映像が照射されるものであり、スクリーン１８前面すなわちカメラ１３側に存在する局部的な光の反射が写り込むことによる背景映像の画質低下の影響が多大であるため、間接照明によって局部的な光を発生させないで撮影する効果が顕著であり効果的である。それ以外は、上記各実施の形態と同様の作用効果を奏する。
【００８４】
図１〜図１０等には、本発明の写真プリント供給装置の実施の形態が示されている。
【００８５】
この実施の形態は、撮影ブース２内の被写体Ｍを撮影するカメラ１３と、上記被写体Ｍを照明する照明装置１４と、上記被写体Ｍのバックとなる領域に存在して背景画像が表示されるスクリーン１８と、上記カメラ１３によって生成された撮影映像を写真プリントとして供給するプリンタ２１とを備え、上記照明装置１４が上記撮影ブース２を構成する壁板４，５，６，７，床板１２およびカーテン１０，１１等の内面に向って照明光を照射して写真撮影をする。
【００８６】
したがって、照明装置１４から直接スクリーン１８に照明光が照射されることがないので、スクリーン１８の一部だけが局部的に明るくなるようなことがなく、撮影映像の背景画像がほどよい均一な明るさで撮影され、被写体Ｍと背景画像との良好な調和のとれたすぐれた写真プリント供給装置として機能させることができる。
【００８７】
図１１〜図１３は、本発明のプリント用紙ユニットの実施の形態を示す。以下に説明する各プリント用紙ユニットは、図１〜図１０等に記載された写真プリント供給装置に供給され、プリンタ２１で用いられて写真プリントを生成するためのプリント用紙ユニットである。
【００８８】
図１１に示すプリント用紙ユニットは、ＩＣチップやＩＣカード等の記憶手段４２と、写真プリント供給装置のプリンタ２１で使用されるプリント用紙４０とがセットとして写真プリント供給装置に供給されるものである。この例では、上記プリント用紙４０としてロール状のものを示している。上記記憶手段４２には、この記憶手段４２とセット供給されるプリント用紙４０における、供給対象である装置で印刷出力可能な写真プリントの枚数すなわちプリント供給可能枚数が記録されている。一方、写真プリント供給装置には、上記記憶手段４２に記憶された情報を読み取る読取手段４１が設けられている。
【００８９】
そして、上記プリント用紙ユニットを写真プリント供給装置に使用する場合には、記憶手段４２を読取手段４１にセットするとともに、プリント用紙４０をプリンタ２１に装填する。そして、上記読取手段４１で記憶手段４２のプリント供給可能枚数が読み取られ、プリンタ２１ではセットで供給されたプリント用紙４０に印刷が行なわれて写真プリントの供給が行なわれるのであるが、このとき、上記読取手段４１でセット供給された記憶手段４２から読み取られたプリント供給可能枚数だけ印刷を行なって写真プリントを供給し、その後は次の記憶手段４２とプリント用紙４０が供給されるまではプリントの供給を停止するようになっている。
【００９０】
上述のような動作を実現するためのシステム構成としては、図示していないが、読取手段４１からの読取データを、上記コンピュータ装置２０に設けた出力枚数制限部に供給し、出力枚数制限部では読み取られたプリント供給可能枚数だけ写真プリントを印刷すると、その後は次の記憶手段４２が供給されるまでプリントの出力を制限することにより行なわれる。なお、プリント供給可能枚数の残り枚数が所定枚数に達したら、つぎのプリント用紙を準備するようアラームを発することも可能である。こうすることにより、顧客を待たせることなく回転率の高い写真撮影装置の運営ができる。上記読取手段４２がプリンタ２１内部に備わる場合は、プリンタ内部で検出された情報を上記コンピュータ装置に送信し制御し、プリンタ外部に備わる場合には、コンピュータ装置で読取られ制御される。
【００９１】
上記のプリント供給可能枚数の記憶情報に基づいて、当該プリント用紙４０の所定枚数の写真プリントが良好な背景画像をもって供給される。
【００９２】
図１２に示すプリント用紙ユニットは、ＩＣチップやＩＣカード等の記憶手段４２を備えておらず、写真プリント供給装置のプリンタ２１で使用されるプリント用紙４０が写真プリント供給装置に供給されるものである。この例では、上記プリント用紙４０としてロール状のものを示している。上記プリント用紙４０には、当該プリント用紙４０の真偽を識別する識別情報がバーコード等により付されている（図示せず）。そして、写真プリント供給装置には、プリンタ２１に装填されたプリント用紙４０の識別情報を読み取る読取手段４１が設けられている。
【００９３】
そして、上記プリント用紙ユニットを写真プリント供給装置に使用する場合には、プリント用紙４０をプリンタ２１に装填する。そして、上記読取手段４１でプリント用紙４０の識別情報が読み取られ、その識別情報を、上記コンピュータ装置２０に設けた判定手段に供給し、判定手段では読み取られた識別情報が正しい場合にだけ写真プリントを印刷し、真正なものでない場合にはプリントの出力を行なわないようになっている。
【００９４】
したがって、上記写真プリント供給装置固有の性能やよりすぐれた写真プリントの仕上り品質等にとって最適のプリント用紙であるか否かが、識別情報によって判別することができるので、識別情報の読み取り結果に応じて写真プリント供給装置を動作させないようにすることができ、背景画像を含めて利用者によりすぐれた品質の写真プリントの提供ができる。また、プリント用紙等の偽造品が市場に流出することを防ぐことができる。それ以外は、上記実施の形態と同様の作用効果を奏する。
【００９５】
図１３に示すプリント用紙ユニットは、写真プリント供給装置のプリンタ２１で使用されるプリント用紙４０と、上記プリント用紙４０に画像をプリントするインクリボン等の記録材料４３がセットの状態となって写真プリント供給装置に供給されるものである。この例では、上記プリント用紙４０としてロール状のものを示している。図において４４は印刷ヘッドである。上記記録材料４３には、当該記録材料４３の真偽を識別する識別情報がバーコード等により付されている（図示せず）。そして、写真プリント供給装置には、プリンタ２１に装填された記録材料４３の識別情報を読み取る読取手段４１が設けられている。
【００９６】
そして、上記プリント用紙ユニットを写真プリント供給装置に使用する場合には、プリント用紙４０および記録材料４３をプリンタ２１に装填する。そして、上記読取手段４１で記録材料４３の識別情報が読み取られ、その識別情報を、上記コンピュータ装置２０に設けた判定手段に供給し、判定手段では読み取られた識別情報が正しい場合にだけ写真プリントを印刷し、真正なものでない場合にはプリントの出力を行なわないようになっている。
【００９７】
この例において、バーコード等の識別情報を記録材料４３ではなくプリント用紙４０に付し、読取手段４１は、プリンタ２１に装填されたプリント用紙４０の識別情報を読み取るようにしてもよい。また、図示した例は、プリンタ２１が、記録材料４３としてインクリボンを使用する昇華型プリンタ等の例であるが、記録材料４３としてカートリッジ式のインクを使用したインクジェット方式等のプリンタに適用することもできる。
【００９８】
したがって、上記写真プリント供給装置固有の性能やよりすぐれた写真プリントの仕上り品質等にとって最適のプリント用紙４０であるか否かが、識別情報によって判別することができるので、識別情報の読み取り結果に応じて写真プリント供給装置を動作させないようにすることができ、背景画像を含めて利用者によりすぐれた品質の写真プリントの提供ができる。また、プリント用紙等の偽造品が市場に流出することを防ぐことができる。それ以外は、上記実施の形態と同様の作用効果を奏する。
【００９９】
【発明の効果】
以上のように、本発明の写真撮影装置によれば、照明手段から直接背景画像表示面に照明光が照射されることがないので、背景画像表示面の一部だけが局部的に明るくなるようなことがなく、撮影映像の背景画像がほどよい均一な明るさで撮影され、被写体と背景画像との良好な調和のとれた写真プリントがえられる。
【０１００】
また、本発明の写真プリント供給装置によれば、照明手段から直接背景画像表示面に照明光が照射されることがないので、背景画像表示面の一部だけが局部的に明るくなるようなことがなく、撮影映像の背景画像がほどよい均一な明るさで撮影され、被写体と背景画像との良好な調和のとれたすぐれた写真プリント供給装置として機能させることができる。
【０１０１】
さらに、本発明のプリント用紙ユニットによれば、プリント用紙と、プリント供給可能枚数が記録される記憶手段とがセットになっているので、プリント用紙を上記の写真プリント供給装置に装填することにより、読取手段で記憶手段のプリント供給可能枚数を読み取り、良好な背景画像がプリントされた写真プリントが、上記の読取り枚数値に即して供給される。また、上記写真プリント供給装置固有の性能やよりすぐれた写真プリントの仕上り品質等にとって最適のプリント用紙であるか否かが、識別情報によって判別することができるので、識別情報の読み取り結果に応じて写真プリント供給装置を動作させないようにすることができ、背景画像を含めて利用者によりすぐれた品質の写真プリントの提供ができる。
【０１０２】
上記写真プリント供給装置固有の性能やよりすぐれた写真プリントの仕上り品質等にとって最適のプリント用紙または記録材料であるか否かが、識別情報によって判別することができるので、識別情報の読み取り結果に応じて写真プリント供給装置を動作させないようにすることができ、背景画像を含めて利用者によりすぐれた品質の写真プリントの提供ができる。
【図面の簡単な説明】
【図１】本発明の写真撮影装置の一実施の形態を示す断面図である。
【図２】照明ボックスの斜視図である。
【図３】照明装置の取付け状態を示す部分的な断面図である。
【図４】照明装置の他の取付け状態を示す部分的な断面図である。
【図５】照明装置が配置された撮影ブース全体を示す平面図と側面図である。
【図６】バックスクリーンユニットの構成形態を示す斜視図である。
【図７】本発明の写真撮影装置の第２の実施の形態を示す断面図である。
【図８】本発明の写真撮影装置の第３の実施の形態を示す断面図である。
【図９】本発明の写真撮影装置の第４の実施の形態を示す断面図である。
【図１０】本発明の写真撮影装置の第５の実施の形態を示す断面図である。
【図１１】本発明のプリント用紙ユニットの第１の実施の形態を示す簡略的な側面図である。
【図１２】本発明のプリント用紙ユニットの第２の実施の形態を示す簡略的な側面図である。
【図１３】本発明のプリント用紙ユニットの第３の実施の形態を示す簡略的な側面図である。
【図１４】本発明に関する従来技術を示す断面図である。
【符号の説明】
Ｍ    被写体，使用者
Ｆ    背景画像表示面
１    写真撮影装置
２    撮影ブース，撮影領域
３    バックスクリーンユニット
４    壁板
５    壁板
６    壁板
７    壁板
８    出入口
９    出入口
１０    カーテン
１１    カーテン
１２    床板
１３    撮影手段，カメラ
１４    照明手段，照明装置
１５    案内モニタ
１６    映写手段，映写装置
１７    機器ユニット部
１８    スクリーン
１９    スクリーン部
２０    コンピュータ装置
２１    プリンタ
２２    機器ボックス
２２Ａ  大ボックス
２２Ｂ  小ボックス
２３    遮光壁体
２４    開口
２５    傾斜壁板
２６    遮光壁板
２７    ディスプレイ
２７Ａ  タッチペン
２８    遮光手段
２９    カーテン
３０    ミラー
３１    照明ボックス
３２    ストロボ
３３    カバー板
３４    透光板
３７    鏡
３８    背板
３９    上板
４０    プリント用紙
４１    読取手段
４２    記憶手段
４３    インクリボン，記録材料
４４    印刷ヘッド
５０    筐体
５１    骨材
５２    壁板
５３    カーテン
５４    撮影用ブース
５５    ライト
５６    カメラ
５７    透明板
５８    コンピュータ装置
５９    ディスプレイ
６０    印刷媒体
６１    プリンタ
６２    送出口
６３    コントローラ
６４    タッチペン
【図１】
2004205920.tif 000003
【図２】
2004205920.tif 000004
【図３】
2004205920.tif 000005
【図４】
2004205920.tif 000006
【図５】
2004205920.tif 000007
【図６】
2004205920.tif 000008
【図７】
2004205920.tif 000009
【図８】
2004205920.tif 000010
【図９】
2004205920.tif 000011
【図１０】
2004205920.tif 000012
【図１１】
2004205920.tif 000013
【図１２】
2004205920.tif 000014
【図１３】
2004205920.tif 000015
【図１４】
2004205920.tif 000016